(57)【要約】【課題】積載された複数枚の用紙を排紙トレイ上に傾くことなく整合させる。【解決手段】排紙ローラ１４により用紙Ｐを排紙方向側の前端Ｐｆを先頭にして鉛直方向に対して所定の角度傾斜させた排紙トレイ１２上に高速に順次排紙して積載し、且つ、排紙された用紙Ｐの後端Ｐｒ側を傾斜させた排紙トレイ１２上又は積載された用紙Ｐ上に沿って自重落下させると共に、自重落下中の用紙Ｐの後端Ｐｒ側を用紙戻しローラ１５でニップしながら排紙方向と反対側に移動させて用紙Ｐの後端Ｐｒを用紙後端突き当てフェンス１３に突き当てて、積載された用紙Ｐの後端Ｐｒを整合させる際に、用紙後端突き当てフェンス１３に取り付けられた振動発生手段１６で発生させた用紙Ｐの前後方向に向かう振動波を用紙後端突き当てフェンス１３に印加することで、積載された複数枚の用紙Ｐを排紙トレイ１２上で傾くことなく確実に整合できることを特徴としている排紙装置１０を提供する。【選択図】図１
2012126544.tif 000002
【特許請求の範囲】
【請求項１】
用紙の前端を先頭にして排紙方向に向かって順次排紙する排紙ローラと、
前記排紙ローラと対向して設けられ、且つ、前記排紙ローラにより排紙された前記用紙を順次積載すると共に、排紙された前記用紙の後端側が自重落下できるように鉛直方向に対して所定の角度傾斜させた排紙トレイと、
前記排紙トレイの上面上又は積載された前記用紙上に沿って自重落下中の前記用紙の後端側を排紙方向とは反対側に移動させる用紙戻し部材と、
前記用紙戻し部材によって排紙方向とは反対側に移動させられた前記用紙の後端を突き当てるように設置された用紙後端突き当てフェンスと、
前記用紙後端突き当てフェンスに取り付けられて前記用紙の前後方向に向かって振動波を発生しており、前記振動波により用紙後端突き当てフェンスに突き当てられた前記用紙の後端を整合させる振動発生手段と、
を備えたことを特徴とする排紙装置。
【請求項２】
前記紙戻し部材は、自重落下中の前記用紙の後端側に転接して該後端側を排紙方向とは反対側に移動させる回転自在な用紙戻しローラであることを特徴とする請求項１記載の排紙装置。
【発明の詳細な説明】
【技術分野】
【０００１】
本発明は、排紙ローラにより用紙を排紙方向側の前端を先頭にして鉛直方向に対して所定の角度傾斜させた排紙トレイ上に高速に順次排紙して積載する際に、排紙トレイ上に積載された用紙の後端側を整合させることができる排紙装置に関するものである。
【背景技術】
【０００２】
一般的に、排紙ローラにより用紙を排紙トレイ上に順次排紙して積載する排紙装置は、インクジェット印刷装置，孔版印刷装置，レーザビームプリンタ，熱転写印刷装置や複写機（コピー機）などに適用されている。
【０００３】
この種の排紙装置の従来例の一例として、排紙トレイのシフト動作における用紙の乱れを抑制できる用紙積載装置・後処理装置・画像形成装置がある（例えば、特許文献１参照）。
【０００４】
ここで、従来の用紙積載装置について特許文献１を参照して簡略に説明する。
【０００５】
図６に示した従来の用紙積載装置１００では、この装置１００の側板１０１が鉛直方向に沿って垂設されている。
【０００６】
また、側板１０１の外側には、排紙された用紙Ｐを積載するための排紙トレイ１０２が側板１０１に対して所定の角度傾斜させた状態で設けられ、且つ、側板１０１に沿って昇降可能に設けられていると共に、用紙Ｐの仕分けをするために用紙Ｐの排紙方向と直交する用紙幅方向（紙面に垂直な方向）にシフト移動可能に設けられている。
【０００７】
また、側板１０１の上方側には、用紙Ｐを排紙するために駆動ローラ１０３Ａと従動ローラ１０３Ｂとの対による排紙ローラ１０３が回転自在に設けられている。
【０００８】
また、排紙トレイ１０２の上面１０２ａの上方で、且つ、排紙トレイ１０２の後端１０２ｂの近傍に、用紙戻しコロ１０４が排紙ローラ１０３の駆動ローラ１０３Ａと同一駆動源により回転自在に設けられている。
【０００９】
そして、排紙された用紙Ｐが所定の角度傾斜させた排紙トレイ１０２上又は積載した用紙Ｐ上に沿って自重落下したときに、この用紙Ｐの後端側を用紙戻しコロ１０４により排紙方向とは反対側に移動させて側板１０１に突き当てることで、排紙トレイ１０２上に積載された複数枚の用紙Ｐの後端を側板１０１に沿って整合させるようになっている。
【００１０】
そして、排紙トレイ１０２をシフト移動させる場合に、排紙トレイ１０２上に積載した用紙Ｐの上面と用紙戻しコロ１０４とが離間するように排紙トレイ１０２を下降量ｋだけ一端下降させてからシフト動作をさせるように構成されている。
【先行技術文献】
【特許文献】
【００１１】
【特許文献１】特開２００２−１２３６２号公報
【発明の概要】
【発明が解決しようとする課題】
【００１２】
ところで、上記した特許文献１に開示された従来の用紙積載装置１００において、排紙トレイ１０２のシフト動作については特許文献１を参照されたいが、排紙ローラ１０３により用紙Ｐを排紙トレイ１０２上に順次排紙して積載する場合に、図７に示したように、排紙トレイ１０２の後端１０２ｂ側の上方に複数枚の用紙Ｐ（Ｐ１，Ｐ２，……）の後端Ｐｒを側板１０１に突き当てて整合させるための用紙戻しコロ１０４が設けられているものの、排紙トレイ１０２上又は積載した用紙Ｐ上に排紙された用紙Ｐ（Ｐ１，Ｐ２，……）が斜めに載置される場合がある。
【００１３】
そこで、本出願人は、排紙トレイ１０２上又は積載した用紙Ｐ上に排紙された用紙Ｐが斜めに載置される原因を追究するために、特許文献１に開示された従来の用紙積載装置１００の技術思想を適用して試作機を試作し、図８（ａ）〜（ｅ）に示したように、従来技術を適用した試作機１００’における排紙動作の検証を行ってみた。
【００１４】
即ち、図８（ａ）〜（ｅ）に示した如く、従来の用紙積載装置１００の技術思想を適用した試作機１００’では、鉛直方向に沿って垂設した側板１０１に排紙トレイ１０２が所定の傾斜角度として例えば略１２０°程度傾斜させた状態で側板１０１に沿って上下動可能に取り付けられており、且つ、側板１０１の上方部位に用紙排紙口１０１ａが開口されていると共に、用紙排紙口１０１ａより下方に用紙Ｐの後端Ｐｒを案内する用紙案内部１０１ｂが排紙トレイ１０２の上面１０２ａに対して略直角になるように折り曲げられている。
【００１５】
また、側板１０１の用紙排紙口１０１ａの近傍に排紙ローラ１０３が回転自在に設けられており、且つ、排紙ローラ１０３は、不図示の駆動源に連結されて上方に配設された駆動ローラ１０３Ａと、下方に配設された従動ローラ１０３Ｂとで対をなしている。
【００１６】
また、排紙トレイ１０２の上面１０２ａ上で、且つ、排紙トレイ１０２の後端１０２ｂの近傍に、用紙戻しコロ１０４が排紙ローラ１０３の駆動ローラ１０３Ａと同一駆動源により回転自在に設けられており、且つ、用紙戻しコロ１０４は、側板１０１の用紙案内部１０１ｂと交差するように配設されている。
【００１７】
ここで、上記した試作機１００’における排紙動作について順を追って説明する。
【００１８】
まず、図８（ａ）に示した如く、試作機１００’内で排紙ローラ１０３を回転させて、この排紙ローラ１０３により用紙Ｐを高速に順次排紙する際に、先に排紙対象となった用紙Ｐ１の前端Ｐｆを先頭にして矢印で示した排紙方向に向けて高速に排紙する。この際、用紙戻しコロ１０４は反時計方向に回転している。
【００１９】
次に、図８（ｂ）に示した如く、排紙ローラ１０３により先に排紙された用紙Ｐ１は、排紙トレイ１０２の上面１０２ａ上に落下する。
【００２０】
次に、図８（ｃ）に示した如く、排紙トレイ１０２の上面１０２ａ上に落下した用紙Ｐ１はこの上面１０２ａ上に沿うと共に、後続する用紙Ｐ２が排紙ローラ１０３によって排紙を開始する。
【００２１】
次に、図８（ｄ）に示した如く、排紙トレイ１０２の上面１０２ａ上に沿った用紙Ｐ１は、この上面１０２ａの傾斜により用紙Ｐ１の後端Ｐｒ側を先頭にして上面１０２ａに沿いながら自重落下する。一方、後続して排紙された用紙Ｐ２の前端Ｐｆが、先に排紙されて自重落下中の用紙Ｐ１と衝突する。このとき、先に排紙されて自重落下中の用紙Ｐ１の後端Ｐｒ側は用紙戻しコロ１０４の位置まで到達していないために、後続する用紙Ｐ２の衝突により先に排紙された下方の用紙Ｐ１が左右及び／又は前後に動かされてしまい、これにより先に図７に示したように、排紙された下方の用紙Ｐ１が排紙トレイ１０２の上面１０２ａに対して左右のバランスが崩れて斜めに傾いてしまう。
【００２２】
次に、図８（ｅ）に示した如く、排紙トレイ１０２の上面１０２ａ上で斜めに傾いた下方の用紙Ｐ１は更に自重落下して用紙戻しコロ１０４に到達してニップされた後に、この用紙戻しコロ１０４により下方の用紙Ｐ１の後端Ｐｒが側板１０１の用紙案内部１０１ｂの下方に突き当たるが、図７に示したように下方の用紙Ｐ１は斜めに傾いて載置されてしまう。
【００２３】
また、用紙Ｐ１が排紙トレイ１０２の上面１０２ａ上又は積載された用紙Ｐ上に沿って自重落下して用紙戻しコロ１０４にニップされた場合でも、先に排紙された用紙Ｐ１と排紙トレイ１０２の上面１０２ａとの間、又は、積載された用紙Ｐ間に生じる摩擦や静電気などによって用紙戻しコロ１０４の搬送力に負け、これにより用紙Ｐの後端Ｐｒを側板１０１に沿って確実に突き当てることができず、結果として用紙Ｐの後端Ｐｒが揃わなくなり整合できない。
【００２４】
そして、後続する用紙Ｐ２もこの後に排紙される用紙（図示せず）が衝突するので、上記と同様に傾くために、用紙戻しコロ１０４を設けても複数枚の用紙Ｐの後端Ｐｒを側板１０１に沿って整合させることができないので問題である。
【００２５】
そこで、排紙ローラにより用紙を排紙方向側の前端を先頭にして鉛直方向に対して所定の角度傾斜させた排紙トレイ上に高速に順次排紙して積載し、且つ、排紙された用紙の後端側が排紙トレイ上又は積載された用紙上に沿って自重落下したときに、この用紙の後端側を用紙戻し部材（用紙戻しローラ）により排紙方向とは反対側に移動させて用紙後端突き当てフェンスに突き当てた際に、積載された複数枚の用紙を排紙トレイ上に傾くことなく整合させることができる排紙装置を提供することを目的とする。
【課題を解決するための手段】
【００２６】
本発明は上記課題に鑑みてなされたものであり、請求項１記載の発明は、用紙の前端を先頭にして排紙方向に向かって順次排紙する排紙ローラと、
前記排紙ローラと対向して設けられ、且つ、前記排紙ローラにより排紙された前記用紙を順次積載すると共に、排紙された前記用紙の後端側が自重落下できるように鉛直方向に対して所定の角度傾斜させた排紙トレイと、
前記排紙トレイの上面上又は積載された前記用紙上に沿って自重落下中の前記用紙の後端側を排紙方向とは反対側に移動させる用紙戻し部材と、
前記用紙戻し部材によって排紙方向とは反対側に移動させられた前記用紙の後端を突き当てるように設置された用紙後端突き当てフェンスと、
前記用紙後端突き当てフェンスに取り付けられて前記用紙の前後方向に向かって振動波を発生しており、前記振動波により用紙後端突き当てフェンスに突き当てられた前記用紙の後端を整合させる振動発生手段と、
を備えたことを特徴とする排紙装置である。
【００２７】
また、請求項２記載の発明は、上記した請求項１記載の排紙装置において、
前記用紙戻し部材は、自重落下中の前記用紙の後端側に転接して該後端側を排紙方向とは反対側に移動させる回転自在な用紙戻しローラであることを特徴とする排紙装置である。
【発明の効果】
【００２８】
請求項１記載の排紙装置によれば、排紙ローラにより用紙を排紙方向側の前端を先頭にして鉛直方向に対して所定の角度傾斜させた排紙トレイ上に順次排紙して積載し、且つ、排紙された用紙の後端側を傾斜させた排紙トレイ上又は積載された用紙上に沿って自重落下させると共に、自重落下中の用紙の後端側を用紙戻し部材により排紙方向と反対側に移動させて用紙の後端を用紙後端突き当てフェンスに突き当てて、積載された用紙の後端を整合させる際に、用紙後端突き当てフェンスに取り付けられた振動発生手段で発生させた用紙の前後方向に向かう振動波を用紙後端突き当てフェンスに印加することにより、積載された複数枚の用紙を排紙トレイ上で傾くことなく確実に整合できるので、本発明に係る排紙装置の品質向上に寄与できる。
【００２９】
また、請求項２記載の排紙装置によれば、請求項１記載の排紙装置において、用紙戻し部材は、自重落下中の用紙の後端側に転接して後端側を排紙方向とは反対側に移動させる回転自在な用紙戻しローラであるので、自重落下中の用紙の後端側を排紙方向とは反対側に移動させて用紙の後端を用紙後端突き当てフェンスに確実に突き当てることができる。
【図面の簡単な説明】
【００３０】
【図１】本発明に係る排紙装置を示した構成図である。
【図２】図１に示した用紙後端突き当てフェンス及び振動発生手段を示した斜視図である。
【図３】本発明に係る排紙装置を用いて用紙を排紙トレイ上に排紙したときに、排紙トレイ上に積載された用紙の姿勢を説明するために用紙の後端側を拡大して示した図である。
【図４】図１に示した排紙ローラ及び用紙戻しローラの具体的な構成例を示した斜視図である。
【図５】（ａ）〜（ｅ）は本発明に係る排紙装置における排紙動作を説明するための動作図である。
【図６】従来の用紙積載装置を示した構成図である。
【図７】従来の用紙積載装置を用いて用紙を排紙トレイ上に排紙したときに、排紙トレイ上に積載された用紙の姿勢を説明するための図である。
【図８】（ａ）〜（ｅ）は従来の用紙積載装置の技術思想を適用して試作した試作機における排紙動作を説明するための図である。
【発明を実施するための形態】
【００３１】
以下に本発明に係る排紙装置の一実施例について、図１〜図５を参照して詳細に説明する。
【実施例】
【００３２】
図１に示した如く、本発明に係る排紙装置１０は、特許文献１に開示された従来の用紙積載装置１００（図６）の技術思想を適用して試作した試作機１００’（図８）に対して改良を施すことにより、排紙ローラ１４により用紙Ｐを排紙方向側の前端Ｐｆを先頭にして鉛直方向に対して所定の角度傾斜させた排紙トレイ１２上に高速に順次排紙して積載し、且つ、排紙された用紙Ｐの後端Ｐｒ側を傾斜させた排紙トレイ１２上又は積載された用紙Ｐ上に沿って自重落下させると共に、自重落下中の用紙Ｐの後端Ｐｒ側を用紙戻し部材（以下、用紙戻しローラと記す）１５でニップしながら排紙方向と反対側に移動させて用紙Ｐの後端Ｐｒを用紙後端突き当てフェンス１３に突き当てて、積載された用紙Ｐの後端Ｐｒを整合させる際に、用紙後端突き当てフェンス１３に取り付けられた振動発生手段１６で発生させた用紙Ｐの前後方向に向かう振動波を用紙後端突き当てフェンス１３に印加することで、積載された複数枚の用紙Ｐを排紙トレイ１２上で傾くことなく確実に整合できることを特徴としている。
【００３３】
即ち、本発明に係る排紙装置１０では、この装置１０の側板１１が鉛直方向に沿って垂設されていると共に、側板１１の上方部位に用紙排紙口１１ａが開口されている。
【００３４】
また、側板１１の外側には、排紙された用紙Ｐを上面１２ａ上に積載するための排紙トレイ１２が、排紙ローラ１４と対向して設けられている。
【００３５】
上記した排紙トレイ１２は、排紙ローラ１４により排紙された用紙Ｐが自重落下できるように側板１１に対して所定の角度傾斜させており、且つ、この排紙トレイ１２の後端１２ｂが側板１１に沿って案内されながら昇降可能に設けられていると共に、用紙Ｐの仕分けをするために用紙Ｐの排紙方向と直交する用紙幅方向（紙面に垂直な方向）にシフト移動可能に設けられている。
【００３６】
この際、排紙トレイ１２の所定の傾斜角度は、先に図８を用いて説明した試作機１００’における略１２０°程度の傾斜角度よりも大きく略１３０°程度に設定することで、排紙トレイ１２上に排紙された用紙Ｐが試作機１００’の場合よりも早く自重落下できるようになっている。
【００３７】
尚、排紙トレイ１２上に排紙された用紙Ｐが自重で落下できる排紙トレイ１２の所定の傾斜角度は、側板１１に対して１２０°〜１３５°の範囲内に設定すれば良いものである。
【００３８】
尚また、排紙トレイ１２のシフト機構については、先の特許文献１に開示されたものと略同様な機構を採用しているので、ここでの詳述を省略する。
【００３９】
また、側板１１の外側に用紙後端突き当てフェンス１３が側板１１と平行に鉛直方向に沿って垂設されている。
【００４０】
上記した用紙後端突き当てフェンス１３は、図２にも拡大して示したように、排紙トレイ１２（図１）上に積載された用紙Ｐの後端Ｐｒを突き当てるための用紙突き当て部１３ａが用紙Ｐの幅方向の左右に分かれてコ字凸状に突出形成されていると共に、用紙突き当て部１３ａの上方に用紙Ｐの後端Ｐｒを案内する用紙案内部１３ｂが排紙トレイ１２の上面１２ａに対して略直角になるように折り曲げられている。
【００４１】
また、用紙後端突き当てフェンス１３の裏面側には、用紙Ｐの前後方向に向って振幅が略１ｍｍ程度の振動波を発生する振動発生手段１６が取り付けられている。
【００４２】
上記した振動発生手段１６は、用紙後端突き当てフェンス１３の裏面側にＬ字状ブラケット１７が裏面に対して略直角に取り付けられ、このＬ字状ブラケット１７にモータ１８が用紙Ｐの幅方向と略平行に取り付けられていると共に、モータ１８の軸に偏心板１９が固着されている。
【００４３】
上記により、振動発生手段１６内に設けたモータ１８を回転させると、偏心板１９の回転作用によりモータ１８の軸と直交する方向の振動波が発生し、この振動波が用紙後端突き当てフェンス１３に印加されると、用紙後端突き当てフェンス１３が用紙Ｐの前後方向に振動するので、後述するように用紙後端突き当てフェンス１３の左右に設けた用紙突き当て部１３ａに突き当てられた用紙Ｐの後端Ｐｒが前後方向に振動する振動波により用紙突き当て部１３ａに沿って整合されるようになっている。
【００４４】
この際、排紙トレイ１２上に積載された用紙Ｐの枚数に応じて振動発生手段１６の出力を可変するように制御部２１（図１）を介して制御するように構成することも可能である。
【００４５】
尚、この実施例における振動発生手段１６は、偏心板１９の回転により用紙Ｐの前後方向に向かって振動波を発生させているが、これに限ることなく、例えば周知の積載型圧電素子（図示せず）などを用紙後端突き当てフェンス１３に取り付けて用紙Ｐの前後方向に向かって振動波を発生させても良いものである。
【００４６】
また、側板１１の上方部位に開口された用紙排紙口１１ａの近傍には、用紙Ｐを排紙するためにゴム材を用いて形成された駆動ローラ１４Ａと従動ローラ１４Ｂとからなる排紙ローラ１４が回転自在に設けられている。
【００４７】
この際、排紙ローラ１４の駆動ローラ１４Ａは、制御部２１の指令により駆動するギアードモータ２２とギア列２３を介して連結されて時計方向に回転自在になっており、この駆動ローラ１４Ａに従動する従動ローラ１４Ｂは反時計方向に回転自在になっているので、両ローラ１４Ａ，１４Ｂ間に用紙Ｐを挟持搬送することで、用紙Ｐの前端Ｐｆを先頭にして矢印で示した排紙方向に排紙されている。
【００４８】
そして、排紙トレイ１２の所定の傾斜角度を略１３０°程度に設定した場合に、排紙トレイ１２の上面１２ａと、排紙方向に沿って排紙された用紙Ｐとがなす角度は１５°〜２０°となり、この角度で用紙Ｐの前端Ｐｆが排紙トレイ１２に向かうように設定されている。
【００４９】
また、図１及び図３に示したように、排紙トレイ１２の上面１２ａの上方で、且つ、用紙後端突き当てフェンス１３の左右に設けた用紙突き当て部１３ａ間に用紙戻しローラ（用紙戻し部材）１５がスポンジ材を用いて排紙トレイ１２上に排紙された用紙Ｐの後端Ｐｒ側に転接可能に設けられている。
【００５０】
この際、排紙された用紙Ｐ上に用紙戻しローラ１５が転接するニップ点Ｎは、図３に示したように、用紙Ｐ上で画像Ｇが形成されてなく装置１０（図１）によって設定される後端Ｐｒ側の余白Ｙの範囲Ｙｄ内であり、この余白Ｙの範囲Ｙｄ内は装置１０の設定により例えば後端Ｐｒとこの後端Ｐｒから１〜３ｍｍ程度内側の位置との間である。
【００５１】
図１に戻り、上記した用紙戻しローラ１５は、制御部２１の指令に従って駆動するギアードモータ２２とギア列２３を介して連結されて反時計方向に回転自在に設けられ、且つ、後述するギア列２３の構成により用紙戻しローラ１５の回転速度は排紙ローラ１４の駆動ローラ１４Ａの回転速度と同じに設定されている。
【００５２】
また、上記した用紙戻しローラ１５は、所定の角度傾斜させた排紙トレイ１２上又は積載した用紙Ｐ上に排紙された用紙Ｐの後端Ｐｒ側を重力により落下させた後に、この用紙Ｐの後端Ｐｒ側に転接して用紙Ｐの後端Ｐｒを用紙後端突き当てフェンス１３に突き当てて、排紙トレイ１２上に積載された複数枚の用紙Ｐの後端Ｐｒを用紙後端突き当てフェンス１３に沿って整合させる機能を備えている。
【００５３】
ここで、上記した排紙ローラ１４対及び用紙戻しローラ１５の具体的な構成例について図４を用いて説明する。
【００５４】
図４に示した如く、用紙Ｐの幅方向に沿って長尺な第１シャフト２４の左右に排紙ローラ１４の駆動ローラ１４Ａがゴム材を用いて焼き付けにより固着されており、且つ、第１シャフト２４の両端側が不図示の軸受を介して軸支されていると共に、第１シャフト２４の一端側に固着させたギア列２３のギア２３Ａがギアードモータ２２の軸に固着させたギア２３Ｂに噛合することで、第１シャフト２４と一体に駆動ローラ１４Ａが時計方向に回転自在に設けられている。
【００５５】
一方、排紙ローラ１４の従動ローラ１４Ｂは、左右の駆動ローラ１４Ａと対応して左右にそれぞれ設けた第１アーム２５の一端側に回転自在に軸支され、且つ、第１アーム２５の他端側が第２シャフト２６に回動可能に軸支されており、ネジリバネ２７の付勢力により従動ローラ１４Ｂが駆動ローラ１４Ａに転接可能になっている。
【００５６】
また、ギアードモータ２２の軸に固着させたギア２３Ｂは、アイドラーギア２３Ｃを介して第３シャフト２８に固着させたギア２３Ｄに噛合することで、第１シャフト２４と平行に設けられ且つ不図示の軸受を介して両端側を軸支された第３シャフト２８が駆動ローラ１４Ａとは反対方向の反時計方向に回転自在に設けられており、且つ、この第３シャフト２８に第２アーム２９が回動可能に取り付けられている。
【００５７】
この際、ギア列２３を構成するギア２３Ａ〜２３Ｄは全て同一径に形成されている。
【００５８】
また、上記した第２アーム２９の一端側には、左右の駆動ローラ１４Ａ間に配置される用紙戻しローラ１５をスポンジ材を用いて固着させた第４シャフト３０が不図示の軸受を介して回転自在に軸支されていると共に、第２アーム２９の他端側は軸受３１を介して第３シャフト２８に回動可能に軸支されているので、第２アーム２９を介して用紙戻しローラ１５が自重により下方の用紙Ｐに転接可能になっている。
【００５９】
また、第２アーム２９の他端側の右側方に配置した第１タイミングプーリ３２が第３シャフト２８に固着されている。
【００６０】
一方、用紙戻しローラ１５を固着した第４シャフト３０は、第２アーム２９の一端側の右側方に延出され、且つ、延出された第４シャフト３０の端部に第２タイミングプーリ３３が第１タイミングプーリ３２と同じ径に形成されて固着されている。
【００６１】
そして、第１タイミングプーリ３２と第２タイミングプーリ３３とにタイミングベルト３４がかけられているので、第３シャフト２８の回転が第４シャフト３０を介して用紙戻しローラ１５に伝達されている。
【００６２】
上記により、第４シャフト３０に固着した用紙戻しローラ１５は、排紙ローラ１４の駆動ローラ１４Ａと同じ速度で回転するものの、駆動ローラ１４Ａの回転方向とは反対側の反時計方向に回転するようになり、これにより排紙された用紙Ｐの後端Ｐｒを用紙後端突き当てフェンス１３側に向けて移動させることができるので、用紙戻しローラ１５により用紙Ｐの後端Ｐｒを用紙後端突き当てフェンス１３に突き当てることが可能になっている。
【００６３】
ここで、上記のように構成した本発明に係る排紙装置１０における排紙動作について、図５を用いて説明する。
【００６４】
まず、図５（ａ）に示した如く、本発明に係る排紙装置１０内で排紙ローラ１４を回転させて、この排紙ローラ１４により用紙Ｐを高速に順次排紙する際に、先に排紙対象となった用紙Ｐ１の前端Ｐｆを先頭にして矢印で示した排紙方向に向けて高速に排紙する。この際、用紙戻しローラ１５は反時計方向に回転していると共に、用紙後端突き当てフェンス１３の裏面側に取り付けた振動発生手段１６により発生させた用紙Ｐの前後方向に向かう振動波が用紙後端突き当てフェンス１３に印加されている。
【００６５】
次に、図５（ｂ）に示した如く、排紙ローラ１４により先に排紙された用紙Ｐ１は、排紙トレイ１２の上面１２ａ上に落下する。
【００６６】
次に、図５（ｃ）に示した如く、排紙トレイ１２の上面１２ａ上に落下した用紙Ｐ１はこの上面１２ａ上に沿うと共に、後続する用紙Ｐ２が排紙ローラ１４によって排紙を開始する。
【００６７】
次に、図５（ｄ）に示した如く、排紙トレイ１２の上面１２ａ上に沿った用紙Ｐ１は、この上面１２ａの傾斜により用紙Ｐ１の後端Ｐｒ側を先頭にして上面１２ａに沿いながら自重落下する。一方、後続して排紙された用紙Ｐ２の前端Ｐｆが、先に排紙されて自重落下中の用紙Ｐ１と衝突する。このとき、先に排紙されて自重落下中の用紙Ｐ１の後端Ｐｒ側は用紙戻しローラ１５の位置まで到達していないために、後続する用紙Ｐ２の衝突により先に排紙された下方の用紙Ｐ１が左右及び／又は前後に動かされてしまい、これにより先に図７に示したように、排紙された下方の用紙Ｐ１が排紙トレイ１２の上面１２ａに対して斜めに傾いてしまう。
【００６８】
次に、図５（ｅ）に示した如く、排紙トレイ１２の上面１２ａ上で斜めに傾いた下方の用紙Ｐ１は更に自重落下して用紙戻しローラ１５に到達してニップされた後に、この用紙戻しローラ１５により下方の用紙Ｐ１の後端Ｐｒが用紙後端突き当てフェンス１３の用紙案内部１３ｂよりも下方に設けた用紙突き当て部１３ａに突き当てられる。
【００６９】
ここで、用紙後端突き当てフェンス１３の用紙突き当て部１３ａは、振動発生手段１６で略１ｍｍ程度の振幅を持って発生させた振動波により用紙Ｐの前後方向に振動しているので、用紙後端突き当てフェンス１３の用紙突き当て部１３ａに突き当てられた用紙Ｐの後端Ｐｒは、自重により軽く転接している用紙戻しローラ１５を支点として振動波の作用により図３に示したように左右に回動されて、用紙Ｐの後端Ｐｒの左右が前後に繰り返し往復動することで、用紙Ｐの後端Ｐｒが用紙後端突き当てフェンス１３の左右に設けた用紙突き当て部１３ａに沿うよう整合される。
【００７０】
以下、複数枚の用紙Ｐに対して上記の動作が繰り返されることにより、積載された複数枚の用紙Ｐを排紙トレイ１２上で斜めに傾くことなく用紙後端突き当てフェンス１３に沿って整合させることができる。
【００７１】
また、用紙Ｐ１が排紙トレイ１２の上面１２ａ上又は積載された用紙Ｐ上に沿って自重落下して用紙戻しローラ１５にニップされた場合でも、先に排紙された用紙Ｐ１と排紙トレイ１２の上面１２ａとの間、又は、積載された用紙Ｐ間に生じる摩擦や静電気などによって用紙戻しローラ１５の搬送力に負け、これにより用紙Ｐの後端Ｐｒを用紙後端突き当てフェンス１３に沿って確実に突き当てることができず、結果として用紙Ｐの後端Ｐｒが揃わなくなり整合できない場合でも、用紙後端突き当てフェンス１３に取り付けた振動発生手段１６で発生させた振動波により積載された複数枚の用紙Ｐを排紙トレイ１２上で斜めに傾くことなく用紙後端突き当てフェンス１３に沿って整合させることができる。
【００７２】
そして、排紙トレイ１２上で積載された用紙Ｐの数量が増えたら排紙トレイ１２を積載量に応じて下降させている。
【００７３】
従って、高速排紙時に排紙トレイ１２上に積載された複数枚の用紙Ｐを傾くことなく整合させることができるので、本発明に係る排紙装置１０の品質向上に寄与できる。
【００７４】
また、用紙戻しローラ１のニップ点位置が用紙Ｐの後端Ｐｒ側の余白Ｙの範囲Ｙｄ（図３）内に設定されているので、用紙Ｐ上に印刷された画像Ｇ（図３）の劣化が生じないために良好な画像Ｇを提供できる。
【符号の説明】
【００７５】
１０…排紙装置、
１１…側板、１１ａ…用紙排紙口、
１２…排紙トレイ、１２ａ…上面、１２ｂ…後端、
１３…用紙後端突き当てフェンス、１３ａ…用紙突き当て部、１３ｂ…用紙案内部、
１４…排紙ローラ、１４Ａ…駆動ローラ、１４Ｂ…従動ローラ、
１５…用紙戻し部材（用紙戻しローラ）、
１６…振動発生手段、１７…ブラケット、１８…モータ、１９…偏心板、
２１…制御部、２２…ギアードモータ、２３…ギア列、
Ｐ，Ｐ１，Ｐ２…用紙、Ｐｆ…用紙の前端、Ｐｒ…用紙の後端、
Ｇ…画像、Ｙ…余白、Ｙｄ…余白Ｙの範囲。
【図１】
2012126544.tif 000003
【図２】
2012126544.tif 000004
【図３】
2012126544.tif 000005
【図４】
2012126544.tif 000006
【図５】
2012126544.tif 000007
【図６】
2012126544.tif 000008
【図７】
2012126544.tif 000009
【図８】
2012126544.tif 000010